(57)【要約】【課題】簡易な構成で清掃作業中の掃除機本体の移動を抑制して、使い勝手のよい電気掃除機を提供することを目的とする。【解決手段】清掃作業用の把手部１０から掃除機本体１の車輪２までの間に、清掃作業中の掃除機本体１の移動を抑制するダンパ部１１を設けたものである。これにより、ダンパ部１１という簡易な構成により、清掃作業中、把手部１０の前後の速い動きに対し、掃除機本体１の移動を抑制することで、意図しない方向に動きまわることがなく、使い勝手のよい電気掃除機となる。【選択図】図１
2006158752.tif 000002
【特許請求の範囲】
【請求項１】
床用吸込み具と、移動用の車輪を有する掃除機本体と、床用吸込み具と掃除機本体間を接続する可撓性ホースおよび延長管と、掃除機本体以外の箇所に設けられ床用吸込み具を移動させる清掃作業用の把手部とを備え、前記把手部から前記車輪までの間には、清掃作業中の掃除機本体の移動を抑制するダンパ部を設けた電気掃除機。
【請求項２】
ダンパ部を可撓性ホースに配した請求項１に記載の電気掃除機。
【請求項３】
ダンパ部は線状にした粘性体を可撓性ホースに巻きつけて構成した請求項２に記載の電気掃除機。
【請求項４】
可撓性ホースを弾性体と粘性体を層状に配して形成し、弾性体と粘性体により構成するダンパ部を可撓性ホースと一体構成とした請求項１または２に記載の電気掃除機。
【請求項５】
ダンパ部を、掃除機本体と可撓性ホースとの本体接続部、延長管と可撓性ホースとの延長管接続部、床用吸込み具と延長管との床用吸込み具接続部のうちの少なくとも１つの接続部に配した請求項１に記載の電気掃除機。
【請求項６】
本体接続部、延長管接続部、床用吸込み具接続部のうちの少なくとも１つの接続部に中間接続具を設け、この中間接続具にダンパ部を配した請求項５に記載の電気掃除機。
【請求項７】
本体接続部、延長管接続部、床用吸込み具接続部のうちの少なくとも１つの接続部をダンパ部の構成要素として用い、ダンパ部を接続部と一体構成とした請求項５に記載の電気掃除機。
【請求項８】
ダンパ部を車輪に配した請求項１に記載の電気掃除機。
【請求項９】
ダンパ部を、車輪の車軸の周りに配した粘性体により形成した請求項８に記載の電気掃除機。
【請求項１０】
ダンパ部を、車輪と床面とが接する表面に配した粘性体により形成した請求項８に記載の電気掃除機。
【請求項１１】
ダンパ部を、車輪に配した電気的な制御機構により構成した請求項８に記載の電気掃除機。
【請求項１２】
ダンパ部は、掃除機本体を移動せずに清掃作業する際には減衰特性を高く、掃除機本体を移動させ清掃作業する際には減衰特性を低くする構成とした請求項１〜１１のいずれか１項に記載の電気掃除機。
【発明の詳細な説明】
【技術分野】
【０００１】
本発明は、床用吸込み具と掃除機本体間を可撓性ホースおよび延長管で接続した吸引型の電気掃除機に関するものである。
【背景技術】
【０００２】
従来、この種の電気掃除機として、操作性を良くするため、可撓性ホースを牽引して掃除機本体を移動させる際、可撓性ホースが引かれている方向をスイッチで検出し、モータがギアを介して掃除機本体の車輪を駆動するものがあった（例えば、特許文献１参照）。
【特許文献１】特開平５−２６１０３３号公報
【発明の開示】
【発明が解決しようとする課題】
【０００３】
しかしながら、前記従来の構成では、スイッチが切れた際にモータが車輪を止めることで、掃除機本体が作業者の意図しない位置まで移動することを防ぐことができるが、掃除機本体の内部にモータの入る空間を確保し、重量の重いモータを掃除機本体内部に入れなければならないという課題を有していた。
【０００４】
本発明は、前記従来の課題を解決するもので、簡易な構成で清掃作業中の掃除機本体の移動を抑制して、使い勝手のよい電気掃除機を提供することを目的とする。
【課題を解決するための手段】
【０００５】
前記従来の課題を解決するために、本発明の電気掃除機は、清掃作業用の把手部から掃除機本体の車輪までの間に、清掃作業中の掃除機本体の移動を抑制するダンパ部を設けたものである。
【０００６】
これにより、ダンパ部という簡易な構成により、清掃作業中、把手部の前後の速い動きに対し、掃除機本体の移動を抑制することで、意図しない方向に動きまわることがなく、使い勝手のよい電気掃除機となる。
【発明の効果】
【０００７】
本発明の電気掃除機は、簡易な構成により、清掃作業中、掃除機本体の移動を抑制し、使い勝手を向上させることができる。
【発明を実施するための最良の形態】
【０００８】
第１の発明は、床用吸込み具と、移動用の車輪を有する掃除機本体と、床用吸込み具と掃除機本体間を接続する可撓性ホースおよび延長管と、掃除機本体以外の箇所に設けられ床用吸込み具を移動させる清掃作業用の把手部とを備え、前記把手部から前記車輪までの間には、清掃作業中の掃除機本体の移動を抑制するダンパ部を設けた電気掃除機とすることにより、ダンパ部という簡易な構成により、清掃作業中、把手部の前後の速い動きに対し、掃除機本体の移動を抑制することで、意図しない方向に動きまわることがなく、使い勝手のよい電気掃除機となる。
【０００９】
第２の発明は、特に、第１の発明において、ダンパ部を可撓性ホースに配したことにより、ダンパ部での減衰が行いやすくなり、把手部の前後の速い動きに対して掃除機本体を動きにくい構成にしやすくなる。また、可撓性ホース全体にダンパ部を配すると、ダンパ部の重量が分散し、重量の増加によっても可撓性ホースの使い勝手が損なわれることがない。
【００１０】
第３の発明は、特に、第２の発明において、ダンパ部は線状にした粘性体を可撓性ホースに巻きつけて構成したことにより、導線が巻き付けられたこれまでの構成の可撓性ホースの、導線と線状の粘性体とを入れ替えた構成が可能となり、例えば、可撓性ホースの曲がり易さや形状や重量といった点で、これまでの可撓性ホースと同様、使い勝手がよい。
【００１１】
第４の発明は、特に、第１または第２の発明において、可撓性ホースを弾性体と粘性体を層状に配して形成し、弾性体と粘性体により構成するダンパ部を可撓性ホースと一体構成としたことにより、可撓性ホースを形成する弾性体と粘性体の層の厚みをそれぞれ変えることで、可撓性ホースの粘性と弾性を同時に調整することができ、使い勝手がよいものとすることができる。
【００１２】
第５の発明は、特に、第１の発明において、ダンパ部を、掃除機本体と可撓性ホースとの本体接続部、延長管と可撓性ホースとの延長管接続部、床用吸込み具と延長管との床用吸込み具接続部のうちの少なくとも１つの接続部に配したことにより、清掃作業中、掃除機本体方向に伝わる動きに対して接続部で減衰が可能となり、減衰性能の低いダンパ部で、使い勝手がよいものとすることができる。
【００１３】
第６の発明は、特に、第５の発明において、本体接続部、延長管接続部、床用吸込み具接続部のうちの少なくとも１つの接続部に中間接続具を設け、この中間接続具にダンパ部を配したことにより、これまでの電気掃除機の構成を変えることなくダンパ部の導入が可能になる。
【００１４】
第７の発明は、特に、第５の発明において、本体接続部、延長管接続部、床用吸込み具接続部のうちの少なくとも１つの接続部をダンパ部の構成要素として用い、ダンパ部を接続部と一体構成としたことにより、ダンパ部の構成を簡略化でき、外観や重量を変えずに掃除機本体の移動を抑制できる。
【００１５】
第８の発明は、特に、第１の発明において、ダンパ部を車輪に配したことにより、車輪は電気掃除機の吸引空気の流れに影響を与えることが無いため、吸い込み性能を下げずに、掃除機本体を抑制することができる。さらに、把手部の動きだけでなく床面から掃除機本体が受ける動きをも軽減することができる。
【００１６】
第９の発明は、特に、第８の発明において、ダンパ部を、車輪の車軸の周りに配した粘性体により形成したことにより、車軸の周りのわずかな構成で、粘性だけではなく車軸の摩擦を同時に調整することができ、掃除機本体の動きやすさを細かく調整できる。
【００１７】
第１０の発明は、特に、第８の発明において、ダンパ部を、車輪と床面とが接する表面に配した粘性体により形成したことにより、粘性体の種類だけでなく床面と接する面の形状によっても粘性を調整でき、把手部の前後の動きに対する掃除機本体の動きやすさを細かく調整できる。
【００１８】
第１１の発明は、特に、第８の発明において、ダンパ部を、車輪に配した電気的な制御機構により構成したことにより、動的に把手部の前後の速い動きに対する掃除機本体の動きやすさを調整できる。
【００１９】
第１２の発明は、特に、第１〜第１１のいずれか１つの発明において、ダンパ部は、掃除機本体を移動せずに清掃作業する際には減衰特性を高く、掃除機本体を移動させ清掃作業する際には減衰特性を低くする構成としたことにより、掃除機本体の移動が必要な場合のみ掃除機本体を移動しやすくすることが可能となり、より使い勝手を向上することができる。
【００２０】
以下、本発明の実施の形態について、図面を参照しながら説明する。なお、本実施の形態によって本発明が限定されるものではない。
【００２１】
（実施の形態１）
図１は、本発明の実施の形態１における電気掃除機を示すものである。
【００２２】
図に示すように、本実施の形態における電気掃除機は、移動用の車輪２を有する掃除機本体１と、床用吸込み具８と、床用吸込み具８と掃除機本体１間を接続する可撓性ホース３および延長管５と、掃除機本体１以外の箇所に設けられ床用吸込み具８を移動させる清掃作業用の把手部１０とを備えている。
【００２３】
また、掃除機本体１と可撓性ホース３の一端は、本体接続部４を構成する掃除機本体１に設けられた本体側本体接続部４Ａと、可撓性ホース３に設けられたホース側本体接続部４Ｂによって接続している。可撓性ホース３の一端と延長管５の一端は、中間接続具６を挟み、中間接続部６の一端には可撓性ホース３に設けられたホース側延長管接続部７Ａが接続され、中間接続部６のもう一端には延長管５に設けられた延長管側延長管接続部７Ｂが接続され、延長管接続部７を構成している。延長管５の一端と床用吸込み具８の一端は、床用吸込み具接続部９を構成する延長管５に設けられた延長管側床用吸込み具接続部９Ａと、床用吸込み具８に設けられた床用吸込み具側床用吸込み具接続部９Ｂにより接続される。床用吸込み具８を移動させる清掃作業用の把手部１０は延長管５に設けられている。
【００２４】
そして、前記把手部１０から前記車輪２までの間には、清掃作業中の掃除機本体１の移動を抑制するダンパ部１１を設けている。
【００２５】
次に、ダンパ部１１の構成について、図２〜図６に基づき説明する。
【００２６】
図２に示す構成であるが、可撓性ホース３内には、導線３Ａが螺旋状に巻き付けられた構成となっているが、導線３Ａの１つを、粘性体１１Ａを線状にした物と入れ替えてダンパ部１１を構成している。粘性体１１Ａは速い速度で伸縮するほど大きな抵抗を生じる、減衰特性の高い種類のゴムや粘土のような材料で構成されている。すなわち、ホースダンパ部が構成されている。可撓性ホース３全体にダンパ部１１を配すれば、ダンパ部１１の重量が分散し、重量の増加によっても可撓性ホース３の使い勝手が損なわれることがなくなる。
【００２７】
図３は、中間接続具６にダンパ部１１として接続ダンパ部が配置されている。すなわち、中間接続具６の延長管側接続具６Ａとホース側接続具６Ｂがダンパ部１１の構成要素となり、接続具間に流体からなる粘性体１１Ｂを入れることでダンパ部１１を構成している。
【００２８】
図４は、掃除機本体１の車輪２に車輪ダンパ部が配置されている。すなわち、車輪２の車軸２Ａの周りに輪形状の粘性体１１Ｃを配置してダンパ部１１を構成している。
【００２９】
図５は、図２に示した粘性体１１Ａのみを可撓性ホース３内に巻き付け、導線３Ａは可撓性ホース３に巻きつけず可動性ホース３の外側を這わせた構成としてダンパ部１１を構成している。また、導線３Ａを可撓性ホース３の外側に這わせず内側に這わせた構成としても良い。また、逆に、導線３Ａを可撓性ホース３に巻き付け、粘性体１１Ａを巻き付けない構成や、導線３Ａと粘性体１１Ａを共に可撓性ホース３に巻き付けない構成としてもよい。
【００３０】
図６は、中間接続具６の一部または全てを粘性体１１Ｄにすることでダンパ部１１を構成し、延長管側接続具６Ａから延長管接続具６Ｂへ伝わる動きを減衰させるようにしている。
【００３１】
以上のように構成された電気掃除機について、以下その動作、作用を説明する。
【００３２】
電気掃除機を起動すると掃除機本体１内部の電動送風機により吸引力が発生し、床面の塵埃が床用吸込み具８から、床用吸込み具接続部９、延長管５、中間接続具６、可撓性ホース３、本体接続部４を通り、掃除機本体１へ吸引される。
【００３３】
清掃作業中は、把手部１０を手に持ち動かすことで、床用吸込み具８を前後に移動させる。また、把手部１０を前後に動かすことで、延長管５、延長管側延長管接続部７Ｂ、中間接続具６、ホース側延長管接続部７Ａ、可撓性ホース３、本体接続部４を通じ、掃除機本体１を移動させることになる。
【００３４】
この時、把手部１０の動きにより可撓性ホース３が動きまわる。この動きによって可撓性ホース３は全体に前後へ伸縮し、それに伴い粘性体１１Ａも伸縮する。このため、粘性体１１Ａによって動きが減衰される。粘性体１１Ａは速く伸縮させるほど大きな抵抗となって減衰が生じる材質であるため、把手部１０が速く動き可撓性ホース３が速く動きまわるほど大きな減衰が生じる。また、可撓性ホース３が全体に伸縮する他に捩れや曲がりによっても、粘性体１１Ａは全体または部分的に伸縮し、その伸縮した箇所で動きが減衰される（図２、図５）。
【００３５】
また、中間接続具６では、把手部１０が前後に動く際、把手部１０に近い延長管側接続具６Ａが先に把手部１０に引かれ動くため、延長管側接続具６Ａとホース側接続具６Ｂの間のダンパ部１１が動き、把手部１０が前後に速く動くほど粘性体１１Ｂ、あるいは粘性体１１Ｄにより減衰が行われる（図３、図６）。
【００３６】
また、車輪２では、掃除機本体１が動く際、車軸２Ａが回転するため、車軸２Ａの周囲に配置したダンパ部１１により、掃除機本体１の動きが減衰される。
【００３７】
これらにより、清掃作業中、把手部１０の前後の速い動きに対して、掃除機本体１の移動を抑制し、作業者が把手部１０を引いた場合には掃除機本体１を意図した位置に移動させることができる。
【００３８】
本実施の形態において、ダンパ部１１は、可撓性ホース３、中間接続具６、車輪２の各所に設けたが、必ずしもこれに限られるものではなく、ケースによってはダンパ部１１が少なくとも１カ所に設けてあれば事足りる場合もあり得るものである。また、ダンパ部１１は、本体接続部４、延長管接続部７、床用吸込み具接続部９のうちの少なくとも１つの接続部に配すればよく、また、中間接続具６も同様に、本体接続部４、延長管接続部７、床用吸込み具接続部９のうちの少なくとも１つに設ければよい。そして、ダンパ部１１は、これら接続部をダンパ部の構成要素として用い、一体構成としている。
【００３９】
なお、図２に示したダンパ部１１（ホースダンパ部）は、導線３Ａの１つを、樹脂などにより線状に形成した粘性体１１Ａと入れ替えた構成となっているが、導線３Ａをすべて残し線状の粘性体１１Ａを追加して並列に配置してもよいし、または、導線３Ａをすべてとり除き線状の粘性体１１Ａと入れ替えてもよい。また、図では、線状の粘性体１１Ａを導線３Ａと同じ方向に巻き付けた構成となっているが、導線３Ａとは逆向きに巻き付け、線状の粘性体１１Ａと導線３Ａが交差する網目状の構成としてもよい。そしてまた、線状の粘性体１１Ａは全体に径が一定に構成されているが、粘性体１１Ａの径や形状を部分的に変えた構成としてもよい。
【００４０】
（実施の形態２）
図７は、本発明の実施の形態２における電気掃除機を示すものである。実施の形態１と同一要素については同一符号を付して説明を省略する。
【００４１】
図に示すように、本実施の形態においては、実施の形態１における中間接続具６を省くとともに、把手部１０を可撓性ホース３に設けている。そして、可撓性ホース３は、図８に示すように、導線３Ａを巻いた弾性体３Ｂとその外側の減衰特性の高い種類のゴムや粘土のような材料からなる粘性体１１Ｅを層状に配して形成し、弾性体３Ｂと粘性体１１Ｅによりダンパ部１１を構成しているものであり、ダンパ部１１を可撓性ホース３と一体構成とした。
【００４２】
また、図９に示すように、ダンパ部１１は、本体接続部４の本体側本体接続部４Ａとホース側本体接続部４Ｂを互いに完全には固定せず相対的に動くことが可能とし、その間に接続部内蔵の粘性体１１Ｆを入れることで本体側本体接続部４Ａとホース側本体接続部４Ｂ間にも構成されている。
【００４３】
また、図１０に示すように、ダンパ部１１は、車輪２の床面との接触表面に複数付けられた粘性体１１Ｇによっても構成されている。
【００４４】
以上のように構成された電気掃除機について、以下その動作、作用を説明する。
【００４５】
清掃作業中は把手部１０を手に持ち動かすことで、床用吸込み具８を移動させる。また把手部１０を前後に動かすことで、可撓性ホース３、本体接続部４を通じ、掃除機本体１を移動させる。
【００４６】
この時、把手部１０の動きは可撓性ホース３を経て掃除機本体１に伝わるが、把手部１０が速く動きそれが伝わって可撓性ホース３が速く動きまわるほど、可撓性ホース３においては全体の伸縮及び／または捩れ及び／または曲がりによって粘性体１１Ｅと弾性体３Ｂによるダンパ部１１が速く伸縮する。粘性体１１Ｅは速く伸縮するほど大きく減衰が行われ、掃除機本体１に伝わる動きが減衰される。
【００４７】
またこの時、本体接続部４に配置されたダンパ部１１では、本体側本体接続部４Ａとホース側本体接続部４Ｂが前後に相対的に動くことが可能であるため、把手部１０に近いホース側本体接続部４Ｂが先に動き、本体側本体接続部４Ａとホース側本体接続部４Ｂの位置が互いにずれる。これによって、本体側本体接続部４Ａとホース側本体接続部４Ｂ間に挟んだ粘性体１１Ｆによるダンパ部１１により動きが減衰される。
【００４８】
さらに、車輪２では掃除機本体１が動き出そうとする際、車輪２の表面に配置した粘性体１１Ｇによるダンパ部１１により掃除機本体１の動きが減衰される。
【００４９】
これらにより、把手部１０の前後の速い動きに対して掃除機本体１を動きにくい構成とし、作業者が把手部１０を引いた場合には掃除機本体１を意図した位置に移動させることができる。
【００５０】
なお、本実施の形態における電気掃除機では、把手部１０から車輪２までの間以外の構成として床用吸込み具８と延長管５を有しているが、場合によってはこれら床用吸込み具８あるいは延長管５の一つまたは全てが無い構成であっても使用することができる。
【００５１】
（実施の形態３）
図１１は、本発明の実施の形態３における電気掃除機を示すものである。実施の形態１、２と同一要素については同一符号を付して説明を省略する。
【００５２】
図に示すように、本実施の形態においては、把手部１０を床用吸込み具８に設けている。また、床用吸込み具接続部９にはダンパ部１１が配置され、車輪２にもダンパ部１１が配置されている。さらに、床用吸込み具８には移動検出器８Ａが配置されている。
【００５３】
そして、車輪２のダンパ部１１は、図１２に示すように、車輪２の側面に配置された磁石１１Ｈと、掃除機本体１に配置された電磁石１１Ｉと、ダンパ部１１の減衰特性を変化させるため電磁石１１Ｉに流す電流を変化させる制御装置１１Ｊによって構成されており、前記移動検出器８Ａで検出した信号を受けて制御装置１１Ｊが動作し、電気的にダンパ部１１の減衰特性の操作を可能としている。
【００５４】
以上のように構成された電気掃除機について、以下その動作、作用を説明する。
【００５５】
清掃作業中は把手部１０を手に持ち動かすことで、床用吸込み具８を移動させる。また把手部１０を前後に動かすことで、床用吸込み具接続部９、延長管５、延長管接続部７、可撓性ホース３、本体接続部４を通じ、掃除機本体１を移動させる。
【００５６】
この時、清掃作業中の床用吸込み具８の動きを移動検出器８Ａによって検出する。この移動検出器８Ａで作業の状態を検出し、床用吸込み具８が前後への動きを繰り返す際は、作業者が移動せず作業していると判断し、掃除機本体１が前後に動きにくい構成となるよう制御装置１１Ｊが電磁石１１Ｉに電流を流し、磁場を強くして減衰特性を高くする。それ以外の場合は作業者が移動していると判断し掃除機本体１が動きやすいよう電磁石１１Ｉに流す電流を制御装置１１Ｊが制御し、減衰特性を低くする。
【００５７】
つまり、床用吸込み具８の動きが延長管５に伝わる際に接続部のダンパ部１１によって減衰が行われる。
【００５８】
これらにより、把手部１０の前後の速い動きに対して掃除機本体１の動きにくい構成とし、作業者が把手部１０を引いた場合には掃除機本体１を意図した位置に移動させることができる。
【００５９】
またこの時、磁石１１Ｈと電磁石１１Ｉによって金属が引き寄せられるため床面にある金属を回収することも可能である。
【００６０】
なお、本実施の形態において、移動検出器８Ａは床用吸込み具８に配置されているがそれ以外に配置しても構わない。
【００６１】
なお、本実施の形態において、清掃作業中に作業者が移動せず作業する際にはダンパ部１１での減衰特性が高く、作業者が移動する際にはダンパ部１１での減衰特性が低く動作させるため、移動検出器８Ａで作業の状態を検出し制御装置１１Ｊを動作させたが、作業者が移動せず作業する際の把手部１０の動きをあらかじめ調べ、その動きに対して減衰性能が高くなるようダンパ部１１の性質を調整しておいても構わない。
【００６２】
なお、本実施の形態において、移動検出器８Ａで床用吸込み具８の動きから作業の状態を検出し制御装置１１Ｊを動作させたが、動きではなく、例えば、延長管５の床面に対する角度や、本体接続部、延長管接続部、床用吸込み具接続部の３つのうちいずれか１つまたは２つもしくは全ての接続部にかかる力や、可撓性ホース３の曲がり方から作業の状態を検出してもよい。
【００６３】
なお、本実施の形態において、車輪２に磁石１１Ｈを配置したが、磁石のかわりに磁性体を配置しても構わない。また、磁石１１Ｈの代わりに電磁石を配置しても構わない。また、図示した構成とは逆に、車輪２に電磁石１１Ｉを配置し、掃除機本体１に磁石１１Ｈを配置しても構わない。さらに、車輪２に配置した磁石１１Ｈは、車軸２Ａに配置しても構わない。
【００６４】
上記した各実施の形態１〜３における構成は、必要に応じて適宜組み合わせて使用することができるものであり、実施の形態そのものの構成に限られるものではない。
【産業上の利用可能性】
【００６５】
以上のように、本発明にかかる電気掃除機は、簡易な構成により、清掃作業中、掃除機本体の移動を抑制し、使い勝手を向上させることができるので、家庭用、業務用に限らず可撓性ホースを有する電気掃除機に適用できる。
【図面の簡単な説明】
【００６６】
【図１】本発明の実施の形態１における電気掃除機の全体構成図
【図２】同電気掃除機における可撓性ホースの断面図
【図３】同電気掃除機における中間接続具の断面図
【図４】同電気掃除機における車輪の断面図
【図５】同電気掃除機における可撓性ホースの他の構成例を示す断面図
【図６】同電気掃除機における中間接続具の他の構成例を示す断面図
【図７】本発明の実施の形態２における電気掃除機の全体構成図
【図８】同電気掃除機における可撓性ホースの断面図
【図９】同電気掃除機における本体接続部の断面図
【図１０】同電気掃除機における車輪の側面図
【図１１】本発明の実施の形態３における電気掃除機の全体構成図
【図１２】（ａ）同電気掃除機における車輪と掃除機本体の断面図（ｂ）同車輪の側面図
【符号の説明】
【００６７】
１  掃除機本体
２  車輪
２Ａ  車軸
３  可撓性ホース
３Ｂ  弾性体
４  本体接続部
５  延長管
６  中間接続具
７  延長管接続部
８  床用吸込み具
９  床用吸込み具接続部
１０  把手部
１１  ダンパ部
１１Ａ〜１１Ｇ  粘性体
１１Ｊ  制御装置
【図１】
2006158752.tif 000003
【図２】
2006158752.tif 000004
【図３】
2006158752.tif 000005
【図４】
2006158752.tif 000006
【図５】
2006158752.tif 000007
【図６】
2006158752.tif 000008
【図７】
2006158752.tif 000009
【図８】
2006158752.tif 000010
【図９】
2006158752.tif 000011
【図１０】
2006158752.tif 000012
【図１１】
2006158752.tif 000013
【図１２】
2006158752.tif 000014